【手続補正書】
【提出日】平成15年7月14日(2003.7.14)
【手続補正１】
【補正対象書類名】明細書
【補正対象項目名】特許請求の範囲
【補正方法】変更
【補正の内容】
【特許請求の範囲】
【請求項１】
入力端子と、
出力端子と、
１次側及び２次側を有し、前記入力端子に接続された１次側巻線及び前記出力端子に接続された２次側巻線をさらに有するトランスと、
１次側スイッチと、
２次側スイッチと、
前記２次側スイッチの２次電流を検出する２次電流検知部と、
前記２次側スイッチの切換えを制御するスレーブ制御部と、
前記１次側スイッチの切換えを制御し、前記１次側スイッチ及び前記２次側スイッチを交互にスイッチオン及びスイッチオフされるように構成されるマスタ制御部とを備え、
前記２次側スイッチの前記切換えは、前記２次側スイッチにおいて検出された２次電流に応じて達成され、
前記１次側スイッチ及び前記２次側スイッチは、ゼロ電圧切換え状態中にスイッチオンされ、
前記スレーブ制御部は、さらに比較器及びセット／リセットフリップフロップを有し、
前記２次電流検知部は、前記２次電流が負になったときに、出力信号を前記比較器に伝達し、
前記比較器は、前記２次電流検知部の前記出力信号を電流基準レベルと比較して、前記２次電流検知部の前記出力信号が前記電流基準レベルを超えるときに切換え信号を前記セット／リセットフリップフロップに出力し、かつ
前記セット／リセットフリップフロップは、前記切換え信号を受信したときに前記２次側スイッチを切換える
電力変換装置。
【請求項２】
入力端子と、
出力端子と、
１次側及び２次側を有し、前記入力端子に接続された１次側巻線及び前記出力端子に接続された２次側巻線をさらに有するトランスと、
１次側スイッチと、
２次側スイッチと、
前記２次側スイッチの切換えを制御するスレーブ制御部と、
前記１次側スイッチの切換えを制御し、前記１次側スイッチ及び前記２次側スイッチを交互にスイッチオン及びスイッチオフされるように構成されるマスタ制御部と、
前記出力端子と前記マスタ制御部との間に接続され、出力フィードバック信号を生成する出力フィードバック回路とを備え、
前記２次側スイッチの前記切換えは、前記２次側スイッチにおいて検出された２次電流に応じて達成され、
前記１次側スイッチ及び前記２次側スイッチは、ゼロ電圧切換え状態中にスイッチオンされ、
前記マスタ制御部は、オンタイマ、時間遅延回路、ゼロ電圧検出器、及び誤差増幅器をさらに有し、
前記出力フィードバック信号は前記誤差増幅器に供給され、前記誤差増幅器は増幅誤差信号を生成し、かつ
前記増幅誤差信号は前記オンタイマに供給され、前記オンタイマは前記１次側スイッチの切換えを制御する
電力変換装置。
【請求項３】
１次側及び２次側を有するトランスと、
１次側スイッチと、
２次側スイッチと、
前記２次側スイッチの切換えを制御するスレーブ制御部と、
前記１次側スイッチの切換えを制御するマスタ制御部と、
前記２次側スイッチの２次電流を検出する２次電流検知部とを備え、
前記２次側スイッチの前記切換えは、前記２次側スイッチにおいて検出された前記２次電流に応じて達成され、
前記１次側スイッチ及び前記２次側スイッチは、ゼロ電圧切換え状態中にスイッチオンされ、
前記スレーブ制御部は、さらに比較器及びセット／リセットフリップフロップを有し、
前記２次電流検知部は、前記２次電流が負になったときに、出力信号を前記比較器に伝達し、
前記比較器は、前記２次電流検知部の前記出力信号を電流基準レベルと比較して、前記２次電流検知部の前記出力信号が前記電流基準レベルを超えるときに切換え信号を前記セット／リセットフリップフロップに出力し、かつ
前記セット／リセットフリップフロップは、前記切換え信号を受信したときに前記２次側スイッチを切換える
電力変換装置。
【請求項４】
１次側及び２次側を有するトランスと、
１次側スイッチと、
２次側スイッチと、
前記２次側スイッチの切換えを制御するスレーブ制御部と、
前記１次側スイッチの切換えを制御するマスタ制御部と、
前記マスタ制御部に接続され、出力フィードバック信号を生成する出力フィードバック回路とを備え、
前記２次側スイッチの前記切換えは、前記２次側スイッチにおいて検出された２次電流に応じて達成され、
前記１次側スイッチ及び前記２次側スイッチは、ゼロ電圧切換え状態中にスイッチオンされ、
前記マスタ制御部は、オンタイマ、時間遅延回路、ゼロ電圧検出器、及び誤差増幅器をさらに有し、
前記出力フィードバック信号は前記誤差増幅器に供給され、前記誤差増幅器は増幅誤差信号を生成し、かつ
前記増幅誤差信号は前記オンタイマに供給され、前記オンタイマは前記１次側スイッチの切換えを制御する
電力変換装置。
【請求項５】
前記切換え信号は、前記２次側スイッチをスイッチオフするリセット信号である
請求項１記載の電力変換装置。
【請求項６】
前記トランスにより生成された波形を検出する２次波形検知部をさらに備え、
前記２次波形検知部は、前記トランスの前記２次側の検知巻線である
請求項１記載の電力変換装置。
【請求項７】
前記２次側スイッチは、前記トランスの前記波形に従ってスイッチオンされる
請求項６記載の電力変換装置。
【請求項８】
出力コンデンサをさらに備える
請求項１記載の電力変換装置。
【請求項９】
前記２次側スイッチは、さらに固有出力静電容量を有し、
前記固有出力静電容量が放電されるときに前記ゼロ電圧切換え状態が生成される
請求項１記載の電力変換装置。
【請求項１０】
前記１次側スイッチは、さらに固有出力静電容量を有し、
前記固有出力静電容量が放電されるときに前記ゼロ電圧切換え状態が生成される
請求項１記載の電力変換装置。
【請求項１１】
前記出力端子と前記マスタ制御部との間に接続され、出力フィードバック信号を生成する出力フィードバック回路をさらに備える
請求項１記載の電力変換装置。
【請求項１２】
前記マスタ制御部は、オンタイマ、時間遅延回路、ゼロ電圧検出器、及び誤差増幅器をさらに有し、
前記出力フィードバック信号は前記誤差増幅器に供給され、前記誤差増幅器は増幅誤差信号を生成し、
前記増幅誤差信号は前記オンタイマに供給され、前記オンタイマは前記１次側スイッチの切換えを制御する
請求項１１記載の電力変換装置。
【請求項１３】
前記１次側スイッチの１次電流を検出する１次電流検知部をさらに備える
請求項１記載の電力変換装置。
【請求項１４】
前記１次側スイッチの１次電流を検出する１次電流検知部をさらに備える
請求項２記載の電力変換装置。
【請求項１５】
前記トランスにより生成された波形を検出する２次波形検知部をさらに備え、
前記２次波形検知部は前記トランスの２次側の検知巻線である
請求項２記載の電力変換装置。
【請求項１６】
前記２次側スイッチは、前記トランスの前記波形に従ってスイッチオンされる
請求項１５記載の電力変換装置。
【請求項１７】
出力コンデンサをさらに備える
請求項２記載の電力変換装置。
【請求項１８】
前記２次側スイッチは、さらに固有出力静電容量を有し、
前記固有出力静電容量が放電されるときに前記ゼロ電圧切換え状態が生成される
請求項２記載の電力変換装置。
【請求項１９】
前記１次側スイッチは、さらに固有出力静電容量を有し、
前記固有出力静電容量が放電されるときに前記ゼロ電圧切換え状態が生成される
請求項２記載の電力変換装置。
【請求項２０】
前記切換え信号は、前記２次側スイッチをスイッチオフするリセット信号である
請求項３記載の電力変換装置。
【請求項２１】
前記トランスにより生成された波形を検出する２次波形検知部をさらに備え、
前記２次波形検知部は、前記トランスの前記２次側の検知巻線である
請求項３記載の電力変換装置。
【請求項２２】
前記２次側スイッチは、前記トランスの前記波形に従ってスイッチオンされる
請求項２１記載の電力変換装置。
【請求項２３】
前記スレーブ制御部は、前記スレーブ制御部が前記波形のゼロレベルを検出した後、所定の時間遅延以内に前記２次側スイッチをスイッチオンするように構成される
請求項２１記載の電力変換装置。
【請求項２４】
出力コンデンサをさらに備える
請求項３記載の電力変換装置。
【請求項２５】
前記２次側スイッチは、さらに固有出力静電容量を有し、
前記固有出力静電容量が放電されるときに前記ゼロ電圧切換え状態が生成される
請求項３記載の電力変換装置。
【請求項２６】
前記１次側スイッチは、さらに固有出力静電容量を有し、
前記固有出力静電容量が放電されるときに前記ゼロ電圧切換え状態が生成される
請求項３記載の電力変換装置。
【請求項２７】
前記１次側スイッチの１次電流を検出する１次電流検知部をさらに備える
請求項３記載の電力変換装置。
【請求項２８】
前記トランスにより生成された波形を検出する２次波形検知部をさらに備え、
前記２次波形検知部は、前記トランスの２次側の検知巻線である
請求項４記載の電力変換装置。
【請求項２９】
前記２次側スイッチは、前記トランスの前記波形に従ってスイッチオンされる
請求項２８記載の電力変換装置。
【請求項３０】
前記スレーブ制御部は、前記スレーブ制御部が前記波形のゼロレベルを検出した後、所定の時間遅延以内に前記２次側スイッチをスイッチオンするように構成される
請求項２８記載の電力変換装置。
【請求項３１】
出力コンデンサをさらに備える
請求項４記載の電力変換装置。
【請求項３２】
前記２次側スイッチは、さらに固有出力静電容量を有し、
前記固有出力静電容量が放電されるときに前記ゼロ電圧切換え状態が生成される
請求項４記載の電力変換装置。
【請求項３３】
前記１次側スイッチは、さらに固有出力静電容量を有し、
前記固有出力静電容量が放電されるときに前記ゼロ電圧切換え状態が生成される
請求項４記載の電力変換装置。
【請求項３４】
前記１次側スイッチの１次電流を検出する１次電流検知部をさらに備える
請求項４記載の電力変換装置。